(57)【要約】調理器具及び制御方法であって、調理器具は、鍋体と、抽気孔及び圧力抜き孔を有する鍋蓋と、調理チャンバが負圧状態になるように抽気するための抽気装置と、圧力抜き孔を開閉するための圧力抜き装置と、を含み、鍋蓋または鍋体には開蓋タッチコンポーネントが設けられ、制御方法は、開蓋タッチコンポーネントが送信する開蓋信号を取得するステップと、調理チャンバ内の気圧が負圧状態であるか否かを検出するステップと、調理チャンバ内の気圧が負圧状態である場合、調理チャンバ内の気圧が常圧状態に回復して鍋蓋が開かれるまで、圧力抜き孔を開けるように圧力抜き装置を制御するステップと、を含む。【選択図】図５
2021532909.tif 000002
【特許請求の範囲】
【請求項１】
頂部が開放された調理チャンバを有する鍋体と、抽気孔及び圧力抜き孔を有し、前記鍋体に開き位置と閉じ位置との間を移動可能に取り付けられた鍋蓋と、前記調理チャンバ内が負圧状態になるように抽気するための抽気装置と、前記圧力抜き孔を開閉するための圧力抜き装置と、を含み、前記鍋蓋または前記鍋体には開蓋タッチコンポーネントが設けられる調理器具の制御方法であって、
前記制御方法は、
前記開蓋タッチコンポーネントが送信した開蓋信号を取得するステップと、
前記調理チャンバ内の気圧が負圧状態であるか否かを検出するステップと、
前記調理チャンバ内の気圧が負圧状態である場合、前記調理チャンバ内の気圧が常圧状態に回復して鍋蓋が開かれるまで、前記圧力抜き孔を開けるように圧力抜き装置を制御するステップと、を含む、
ことを特徴とする調理器具の制御方法。
【請求項２】
前記開蓋タッチコンポーネントは、タッチボタンと、前記タッチボタンに作用するタッチ動作を感知し、前記タッチ動作に基づいて前記開蓋信号を生成するためのタッチモジュールと、を含む、
ことを特徴とする請求項１に記載の調理器具の制御方法。
【請求項３】
前記開蓋タッチコンポーネントが送信した開蓋信号を取得する前記ステップの前に、前記タッチモジュールが第１の予め設定された時間持続した前記タッチ動作を感知した場合、前記タッチ動作に基づいて前記開蓋信号を生成することを特徴とする請求項２に記載の調理器具の制御方法。
【請求項４】
ユーザが前記調理器具に接近したか否かを検出するための人体感知モジュールをさらに含み、
前記開蓋タッチコンポーネントが送信した開蓋信号を取得する前記ステップの前に、ユーザが前記調理器具に接近した時間が第２の予め設定された時間に達したことを検出し、且つ前記タッチモジュールが前記タッチ動作を感知した場合、前記タッチモジュールは、前記タッチ動作に基づいて前記開蓋信号を生成する、
ことを特徴とする請求項２に記載の調理器具の制御方法。
【請求項５】
前記開蓋タッチコンポーネントが送信した開蓋信号を取得する前記ステップの前に、前記第２の予め設定された時間の間、ユーザと前記調理器具との間の距離が予め設定された距離以下であることを検出し、且つ前記タッチモジュールが前記タッチ動作を感知した場合、前記タッチモジュールは、前記タッチ動作に基づいて前記開蓋信号を生成する、
ことを特徴とする請求項４に記載の調理器具の制御方法。
【請求項６】
前記人体感知モジュールは、赤外線感知センサ、距離センサ、またはカメラである、
ことを特徴とする請求項４に記載の調理器具の制御方法。
【請求項７】
前記鍋体または前記鍋蓋には補助機能キーがさらに設けられ、前記開蓋タッチコンポーネントが送信した開蓋信号を取得する前記ステップの前に、前記タッチボタンと前記補助機能キーが同時または連続的に操作された場合、前記タッチモジュールは前記タッチ動作に基づいて前記開蓋信号を生成する、
ことを特徴とする請求項２に記載の調理器具の制御方法。
【請求項８】
前記抽気装置、前記圧力抜き装置、及び前記開蓋タッチコンポーネントと通信するコントローラを含み、前記コントローラは、請求項１〜７のいずれか１項に記載の調理器具の制御方法を実行する、
ことを特徴とする調理器具。
【請求項９】
前記開蓋タッチコンポーネントは、
一方が開放された収容チャンバを画定するボタン台と、
前記収容チャンバ内に設けられるタッチボタンと、
前記タッチボタンに接続されるとともに前記コントローラと通信するタッチモジュールと、を含む、
ことを特徴とする請求項８に記載の調理器具。
【請求項１０】
ロック位置と分離位置との間を移動可能なロック部材をさらに含み、前記ロック部材が前記ロック位置にある時、前記鍋蓋は前記閉じ位置にロッキングされ、前記ロック部材が前記分離位置にある時、前記鍋蓋は前記閉じ位置から離脱する、
ことを特徴とする請求項８または９に記載の調理器具。
【請求項１１】
内部に調理チャンバが画定されている内鍋を有する鍋体と、
前記鍋体に開閉可能に設けられており、第１の封止部材と、前記調理チャンバに対向して設けられた圧力抜き孔及び圧力抜きチャンバを有する上蓋本体と、電気制御されることにより前記第１の封止部材を駆動して前記圧力抜き孔を開閉するように構成された電動圧力抜き部材とを有する鍋蓋と、
前記鍋体または前記鍋蓋に設けられた開蓋ボタンと、
前記開蓋ボタンに接続または連動され、前記開蓋ボタンが押された場合、前記第１の封止部材を駆動して前記圧力抜き孔を開放し、及び／または前記鍋蓋と前記内鍋との密閉を解除するように構成される機械的圧力抜き部材とを含む、
ことを特徴とする調理器具。
【請求項１２】
前記機械的圧力抜き部材は、前記開蓋ボタンが押された場合、前記第１の封止部材を駆動して前記圧力抜き孔を開放し、前記開蓋ボタン及び前記機械的圧力抜き部材が、いずれも前記上蓋本体に設けられるように構成される、
ことを特徴とする請求項１１に記載の調理器具。
【請求項１３】
前記第１の封止部材は封止ボールであり、前記機械的圧力抜き部材は圧力抜きプッシュロッドであり、前記圧力抜きプッシュロッド及び前記開蓋ボタンは、前記上蓋本体に前記圧力抜き孔の中心軸線に平行な方向に沿って摺動可能に設けられ、前記圧力抜きプッシュロッドは、前記第１の封止部材に向かって設けられ、上から下に向かって徐々に前記圧力抜き孔から離れるように延びる傾斜押付面を有し、前記傾斜押付面は、前記第１の封止部材に当接して前記圧力抜き孔を開放する、
ことを特徴とする請求項１２に記載の調理器具。
【請求項１４】
前記上蓋本体は、順番に接続される表面蓋と、内蓋と、蓋板と、を含み、前記圧力抜き孔は少なくとも前記蓋板を貫通し、前記圧力抜きチャンバは前記表面蓋と前記内蓋との間に形成され、前記表面蓋の頂壁に前記開蓋ボタンと摺動係合する第１の取り付け用貫通孔を有し、前記内蓋の頂壁に前記圧力抜きプッシュロッドと摺動係合する第２の取り付け用貫通孔を有し、前記圧力抜きプッシュロッドの上端が前記開蓋ボタンの底部に接続され、下端が前記第２の取り付け用貫通孔を貫通して前記圧力抜きチャンバ内まで伸びる、
ことを特徴とする請求項１３に記載の調理器具。
【請求項１５】
前記機械的圧力抜き部材は、前記開蓋ボタンが押された場合、前記第１の封止部材を駆動して前記圧力抜き孔を開放し、前記開蓋ボタンが前記鍋体に設けられ、前記機械的圧力抜き部材は前記鍋蓋に設けられるように構成される、
ことを特徴とする請求項１１に記載の調理器具。
【請求項１６】
前記機械的圧力抜き部材は圧力抜きリンクロッドであり、前記開蓋ボタンの上端には、前記鍋体の上端から突出して前記鍋蓋内まで伸び、前記鍋蓋内に位置する圧力抜きリンクロッドを駆動する延長ロッドが設けられる、
ことを特徴とする請求項１５に記載の調理器具。
【請求項１７】
前記圧力抜きリンクロッドは、前記上蓋本体に前記圧力抜き孔の中心軸線に垂直な方向に沿って摺動可能に設けられる、
ことを特徴とする請求項１６に記載の調理器具。
【請求項１８】
前記上蓋本体は、順番に接続された表面蓋と、内蓋と、蓋板とを含み、前記圧力抜き孔は、少なくとも前記蓋板を貫通し、前記圧力抜きチャンバは、前記表面蓋と前記内蓋との間に形成され、前記圧力抜きリンクロッドは、前記内蓋を貫通する縦方向ロッドと、前記内蓋と前記表面蓋との間に位置する横方向ロッドとを含み、前記横方向ロッドは、前記鍋蓋内に位置する第１の封止部材に当接係合するように、前記圧力抜きチャンバ内まで伸びる、
ことを特徴とする請求項１７に記載の調理器具。
【請求項１９】
前記開蓋ボタンは、前記機械的圧力抜き部材に枢動接続されるか、または当接係合される、
ことを特徴とする請求項１６に記載の調理器具。
【請求項２０】
前記開蓋ボタン及び前記機械的圧力抜き部材の少なくとも一方に接続されて、それぞれをリセットさせる弾性リセット部材をさらに含む、
ことを特徴とする請求項１２または１５に記載の調理器具。
【請求項２１】
前記鍋蓋は、鍋蓋が閉じられた時に前記内鍋に係合して前記調理チャンバを密閉する第２の封止部材を有し、前記機械的圧力抜き部材は、前記開蓋ボタンが押された場合、前記第２の封止部材に作用して前記内鍋と前記鍋蓋との密閉を解除するように構成される、
ことを特徴とする請求項１１〜２０のいずれか１項に記載の調理器具。
【請求項２２】
前記第２の封止部材は、前記上蓋本体の下端に接続される封止リングであり、前記機械的圧力抜き部材は、前記開蓋ボタンが押下される際に、前記第２の封止部材と前記内鍋との間に隙間が形成されるように、前記第２の封止部材と前記内鍋との間に挿入される梃子動かし爪を有する、
ことを特徴とする請求項２１に記載の調理器具。
【請求項２３】
前記機械的圧力抜き部材と前記開蓋ボタンは、一体に成形されるとともに前記鍋体に設けられ、前記鍋体の外側壁に第３の取り付け用貫通孔を有し、前記鍋体の頂壁に第４の取り付け用貫通孔を有し、前記開蓋ボタンは、前記第３の取り付け用貫通孔を貫通するとともに、バネを介して前記鍋体の内側壁に当接され、前記機械的圧力抜き部材は、前記第４の取り付け用貫通孔に摺動可能に設けられる、
ことを特徴とする請求項２１または２２に記載の調理器具。
【発明の詳細な説明】
【関連出願の相互参照】
【０００１】
本願は、出願番号が２０１８１０９１８４８４．６、２０１８２１３０４６３１．２、２０１８１０９１７３８９．４、２０１８２１３０４６３２．７で、出願日が２０１８年８月１３日である中国特許出願に基づいて提出され、前記中国特許出願の優先権を主張し、その内容の全てが参照によって本願に組み込まれる。
【技術分野】
【０００２】
本願は、調理機器の技術分野に関し、特に調理器具及びその制御方法に関する。
【背景技術】
【０００３】
関連技術における調理器具は、調理器具の調理チャンバが負圧状態になるように抽気する抽気装置を設けることにより、米飯を長時間新鮮に保つことができる。しかし、調理チャンバが負圧状態であると、ユーザは鍋蓋を開けることができない。
【０００４】
上記の課題を解決するために、調理器具に微動スイッチ付きの開蓋ボタンコンポーネントが設けられ、ユーザが開蓋ボタンを押すと微動スイッチが起動されることにより、さらに調理チャンバの負圧状態を解除し、続いて開蓋動作を実行する。しかし、開蓋ボタンコンポーネントが係り止ってしまう現象が生じると、微動スイッチが正常に起動されず、すなわち蓋を開ける前の圧力抜き動作を実現することができず、ユーザ体験に影響を与える。
【発明の概要】
【発明が解決しようとする課題】
【０００５】
本願は、先行技術における技術的問題の少なくとも１つを解決することを目的とする。そのため、本願の１つの目的は、手順が簡単で、蓋を開ける前の圧力抜き動作を実現し、調理器具の使用信頼性を向上させることができる調理器具の制御方法を提供することである。
【課題を解決するための手段】
【０００６】
本願は、調理器具をさらに提供する。
【０００７】
本願の第１の態様の実施例に係る調理器具の制御方法によれば、頂部が開放された調理チャンバを有する鍋体と、抽気孔及び圧力抜き孔を有し、前記鍋体に開き位置と閉じ位置との間を移動可能に取り付けられた鍋蓋と、前記調理チャンバ内が負圧状態になるように抽気するための抽気装置と、前記圧力抜き孔を開閉するための圧力抜き装置と、を含み、前記鍋蓋または前記鍋体には開蓋タッチコンポーネントが設けられる調理器具の制御方法であって、前記制御方法は、前記開蓋タッチコンポーネントが送信した開蓋信号を取得するステップと、前記調理チャンバ内の気圧が負圧状態であるか否かを検出するステップと、前記調理チャンバ内の気圧が負圧状態である場合、前記調理チャンバ内の気圧が常圧状態に回復して鍋蓋が開かれるまで、前記圧力抜き孔を開けるように圧力抜き装置を制御するステップと、を含む。
【０００８】
本願の実施例に係る調理器具の制御方法によれば、開蓋タッチコンポーネントの設置により、ユーザは開蓋タッチコンポーネントを制御することで安全に蓋を開くことができ、関連技術におけるボタンコンポーネントを用いて微動スイッチを起動させる開蓋方式と比較して、ボタンコンポーネントが係り止められる現象の発生により正常に開蓋することができないという問題がなく、使用体験がよりよい。
【０００９】
本願の一実施例によれば、前記開蓋タッチコンポーネントは、タッチボタンと、前記タッチボタンに作用するタッチ動作を感知し、前記タッチ動作に基づいて前記開蓋信号を生成するためのタッチモジュールと、を含む。
【００１０】
本願の好ましい一実施例によれば、前記開蓋タッチコンポーネントが送信した開蓋信号を取得する前記ステップの前に、前記タッチモジュールが第１の予め設定された時間持続した前記タッチ動作を感知した場合、前記タッチ動作に基づいて前記タッチ信号を生成する。
【００１１】
本願の別の好ましい一実施例によれば、ユーザが前記調理器具に接近したか否かを検出するための人体感知モジュールをさらに含み、前記開蓋タッチコンポーネントが送信した開蓋信号を取得する前記ステップの前に、ユーザが前記調理器具に接近した時間が第２の予め設定された時間に達したことを検出し、且つ前記タッチモジュールが前記タッチ動作を感知した場合、前記タッチモジュールは、前記タッチ動作に基づいて前記開蓋信号を生成する。
【００１２】
一部の例示では、前記開蓋タッチコンポーネントが送信した開蓋信号を取得する前記ステップの前に、前記第２の予め設定された時間の間、ユーザと前記調理器具との間の距離が予め設定された距離以下であることを検出し、且つ前記タッチモジュールが前記タッチ動作を感知した場合、前記タッチモジュールは、前記タッチ動作に基づいて前記開蓋信号を生成する。
【００１３】
一部の例示では、前記人体感知モジュールは、赤外線感知センサ、距離センサ、またはカメラである。
【００１４】
本願の好ましいさらなる一実施例によれば、前記鍋体または前記鍋蓋には補助機能キーがさらに設けられ、前記開蓋タッチコンポーネントが送信した開蓋信号を取得する前記ステップの前に、前記タッチボタンと前記補助機能キーが同時または連続的に操作された場合、前記タッチモジュールは前記タッチ動作に基づいて前記開蓋信号を生成する。
【００１５】
本願の第２の態様の実施例に係る調理器具によれば、前記抽気装置、前記圧力抜き装置、及び前記開蓋タッチコンポーネントと通信するコントローラを含み、前記コントローラは、上記の実施例による調理器具の制御方法を実行する。
【００１６】
本願の一実施例によれば、前記開蓋タッチコンポーネントは、一方が開放された収容チャンバを画定するボタン台と、前記収容チャンバ内に設けられるタッチボタンと、前記タッチボタンに接続されるとともに前記コントローラと通信するタッチモジュールと、を含む。
【００１７】
本願の一実施例によれば、ロック位置と分離位置との間を移動可能なロック部材をさらに含み、前記ロック部材が前記ロック位置にある時、前記鍋蓋は前記閉じ位置にロッキングされ、前記ロック部材が前記分離位置にある時、前記鍋蓋は前記閉じ位置から離脱する。
【００１８】
本願の第３の態様の実施例に係る調理器具によれば、内部に調理チャンバが画定されている内鍋を有する鍋体と、前記鍋体に開閉可能に設けられており、第１の封止部材と、前記調理チャンバに対向して設けられた圧力抜き孔及び圧力抜きチャンバを有する上蓋本体と、電気制御されることにより前記第１の封止部材を駆動して前記圧力抜き孔を開閉するように構成された電動圧力抜き部材とを有する鍋蓋と、前記鍋体または前記鍋蓋に設けられた開蓋ボタンと、前記開蓋ボタンに接続または連動され、前記開蓋ボタンが押された場合、前記第１の封止部材を駆動して前記圧力抜き孔を開放し、及び／または前記鍋蓋と前記内鍋との密閉を解除するように構成される機械的圧力抜き部材と、を含む。
【００１９】
本願の実施例の調理器具によれば、開蓋ボタン及び機械的圧力抜き部材の設置により、開蓋ボタンを押す時に調理チャンバの圧力を抜き、開蓋ボタンを押しながら圧力を抜いて蓋体を開くことができ、操作が容易で素早い。このように、電動圧力抜き部材と機械的圧力抜き部材が互いに干渉しないという前提で、操作者は、電動圧力抜き部材が故障して、圧力を抜けないか、または突然停電した場合に、手動で調理チャンバから圧力を抜くことができるだけでなく、調理器具が負圧状態で長時間放置されることを回避し、調理器具の使用の安全性を向上させ、さらには安全性の潜在的なリスクも低減または解消することができる。
【００２０】
本願の一部の実施例によれば、前記機械的圧力抜き部材は、前記開蓋ボタンが押された場合、前記第１の封止部材を駆動して前記圧力抜き孔を開放し、前記開蓋ボタン及び前記機械的圧力抜き部材が、いずれも前記上蓋本体に設けられるように構成される。
【００２１】
一部の実施例では、前記第１の封止部材は封止ボールであり、前記機械的圧力抜き部材は圧力抜きプッシュロッドであり、前記圧力抜きプッシュロッド及び前記開蓋ボタンは、前記上蓋本体に前記圧力抜き孔の中心軸線に平行な方向に沿って摺動可能に設けられ、前記圧力抜きプッシュロッドは、前記第１の封止部材に向かって設けられ、上から下に向かって徐々に前記圧力抜き孔から離れるように延びる傾斜押付面を有し、前記傾斜押付面は、前記第１の封止部材に当接して前記圧力抜き孔を開放する。
【００２２】
さらに、前記上蓋本体は、順番に接続される表面蓋と、内蓋と、蓋板とを含み、前記圧力抜き孔は少なくとも前記蓋板を貫通し、前記圧力抜きチャンバは前記表面蓋と前記内蓋との間に形成され、前記表面蓋の頂壁に前記開蓋ボタンと摺動係合する第１の取り付け用貫通孔を有し、前記内蓋の頂壁に前記圧力抜きプッシュロッドと摺動係合する第２の取り付け用貫通孔を有し、前記圧力抜きプッシュロッドの上端が前記開蓋ボタンの底部に接続され、下端が前記第２の取り付け用貫通孔を貫通して前記圧力抜きチャンバ内まで伸びる。
【００２３】
一部の実施例では、前記機械的圧力抜き部材は、前記開蓋ボタンが押された場合、前記第１の封止部材を駆動して前記圧力抜き孔を開放し、前記開蓋ボタンが前記鍋体に設けられ、前記機械的圧力抜き部材は前記鍋蓋に設けられるように構成される。
【００２４】
さらに、前記機械的圧力抜き部材は圧力抜きリンクロッドであり、前記開蓋ボタンの上端には、前記鍋体の上端から突出して前記鍋蓋内まで伸び、前記鍋蓋内に位置する圧力抜きリンクロッドを駆動する延長ロッドが設けられる。
【００２５】
さらに、前記圧力抜きリンクロッドは、前記上蓋本体に前記圧力抜き孔の中心軸線に垂直な方向に沿って摺動可能に設けられる。
【００２６】
好ましくは、前記上蓋本体は、順番に接続された表面蓋と、内蓋と、蓋板とを含み、前記圧力抜き孔は、少なくとも前記蓋板を貫通し、前記圧力抜きチャンバは、前記表面蓋と前記内蓋との間に形成され、前記圧力抜きリンクロッドは、前記内蓋を貫通する縦方向ロッドと、前記内蓋と前記表面蓋との間に位置する横方向ロッドとを含み、前記横方向ロッドは、前記鍋蓋内に位置する第１の封止部材に当接係合するように、前記圧力抜きチャンバ内まで伸びる。
【００２７】
一部の実施例では、前記開蓋ボタンは、前記機械的圧力抜き部材に枢動接続されるか、または当接係合される。
【００２８】
さらに、前記調理器具は、前記開蓋ボタン及び前記機械的圧力抜き部材の少なくとも一方に接続されて、それぞれをリセットさせる弾性リセット部材をさらに含む。
【００２９】
一部の実施例では、前記鍋蓋は、鍋蓋が閉じられた時に前記内鍋に係合して前記調理チャンバを密閉する第２の封止部材を有し、前記機械的圧力抜き部材は、前記開蓋ボタンが押された場合、前記第２の封止部材に作用して前記内鍋と前記鍋蓋との密閉を解除するように構成される。
【００３０】
さらに、前記第２の封止部材は、前記上蓋本体の下端に接続される封止リングであり、前記機械的圧力抜き部材は、前記開蓋ボタンが押下される際に、前記第２の封止部材と前記内鍋との間に隙間が形成されるように、前記第２の封止部材と前記内鍋との間に挿入される梃子動かし爪を有する。
【００３１】
好ましくは、前記機械的圧力抜き部材と前記開蓋ボタンは、一体に成形されるとともに前記鍋体に設けられ、前記鍋体の外側壁に第３の取り付け用貫通孔を有し、前記鍋体の頂壁に第４の取り付け用貫通孔を有し、前記開蓋ボタンは、前記第３の取り付け用貫通孔を貫通するとともに、バネを介して前記鍋体の内側壁に当接され、前記機械的圧力抜き部材は、前記第４の取り付け用貫通孔に摺動可能に設けられる。
【００３２】
本発明の一部の実施例によれば、前記開蓋ボタンは、押される場合、前記鍋蓋と前記鍋体とのロックが解除されるように構成される。
【発明の効果】
【００３３】
本願の付加的な態様及び利点は、一部は以下の説明に示され、一部は以下の説明からより明らかになるか、または本願の実践を通じて理解できる。
【図面の簡単な説明】
【００３４】
本願の上記及び／または付加的な特徴及び利点は、下記の図面を参照して実施例を説明することにより明らかになり、理解しやすくなる。
【００３５】
【図１】本願の実施例に係る調理器具の構造概略図である。
【図２】本願の実施例に係る調理器具の鍋蓋の構造概略図である。
【図３】本願の実施例に係る調理器具の開蓋タッチコンポーネントの構造概略図である。
【図４】本願の実施例に係る調理器具のボタン台の構造概略図である。
【図５】本願の実施例による調理器具の制御方法のフローチャートである。
【図６】本願の第１の実施例に係る調理器具の概略図である。
【図７】本願の第１の実施例に係る調理器具の部分拡大概略図（圧力抜き孔を閉鎖する機械的圧力抜き部材）である。
【図８】本願の第１の実施例に係る調理器具の別の部分拡大概略図（圧力抜き孔を開放する機械的圧力抜き部材）である。
【図９】本願の第２の実施例に係る調理器具の概略図である。
【図１０】本願の第３の実施例に係る調理器具の概略図である。
【図１１】本願の第３の実施例に係る調理器具の部分拡大概略図（圧力抜き孔を閉鎖する機械的圧力抜き部材）である。
【図１２】本願の第３の実施例に係る調理器具の別の部分拡大概略図（圧力抜き孔を開放する機械的圧力抜き部材）である。
【発明を実施するための形態】
【００３６】
以下、本願の実施例について詳細に説明する。前記実施例の例示を図面に示し、ただし、同一または類似する符号は、常に同一または類似する部品、または同一または類似する機能を有する部品を表す。以下、図面を参照しながら説明される実施例は例示的なものであり、本願を解釈するものにすぎず、本願を限定するものと理解されるべきではない。
【００３７】
以下、本願の第１の形態の実施例に係る調理器具の制御方法について、図１〜図５を参照しながら説明する。
【００３８】
図１から図５に示すように、本願の実施例に係る調理器具１００は、頂部が開放された調理チャンバａを有する鍋体１０と、抽気孔２１４及び圧力抜き孔ｂを有し、開き位置と閉じ位置との間で鍋体１０に移動可能に取り付けられた鍋蓋２０と、前記調理チャンバａ内が負圧状態になるように抽気するための、抽気孔２１４に連通する抽気装置７０と、圧力抜き孔ｂを開閉するための圧力抜き装置８０と、を含み、鍋蓋２０または鍋体１０には開蓋タッチコンポーネント９０が設けられる。ここでの「負圧状態」は、調理チャンバ内の気圧が常圧（すなわち、１つの大気圧）よりも低い状態である。
【００３９】
ここで、内蓋２１２と、内蓋２１２の調理チャンバａに向く側に設けられた蓋板２１３と、内蓋２１２の調理チャンバａに背向く側に設けられた表面蓋２１１とを含む鍋蓋２０が、鍋体１０に枢動可能に取り付けられ、抽気孔２１４及び圧力抜き孔ｂが蓋板２１３に設けられる。
【００４０】
さらに、調理器具の制御方法は、
開蓋タッチコンポーネントが送信する開蓋信号を取得するステップＳ１と、
調理チャンバ内の気圧が負圧状態であるか否かを検出するステップＳ２と、
調理チャンバ内の気圧が負圧状態である場合、調理チャンバ内の気圧が常圧状態に回復して鍋蓋が開かれるまで、圧力抜き装置を制御して圧力抜き孔を開いているステップＳ３と、を含む。
【００４１】
具体的には、調理器具１００が作動時に、ユーザが途中で蓋を開く必要がある場合、まず、開蓋タッチコンポーネント９０が開蓋信号を発するように、開蓋タッチコンポーネント９０を操作し、調理チャンバａ内の気圧が負圧状態であることを検出する場合、圧力抜き装置８０を制御して圧力抜き孔ｂを開けることにより、圧力抜きを行い、調理チャンバａ内の気圧が常圧に回復した場合、開蓋動作を実行し、調理チャンバａ内の気圧が常圧状態であることを検出する場合、直接開蓋動作を実行する。
【００４２】
本願の実施例に係る調理器具の制御方法によれば、開蓋タッチコンポーネントの設置により、ユーザは開蓋タッチコンポーネントを制御することにより蓋を安全に開くことができ、関連技術におけるボタンコンポーネントで微動スイッチをトリガする開蓋方式と比較して、ボタンコンポーネントが係り止められる現象の発生により正常に開蓋することができないという問題がなく、使用体験がよりよい。
【００４３】
本願の一実施例によれば、開蓋タッチコンポーネント９０は、タッチボタン９１と、タッチボタン９１に作用するタッチ動作を感知し、タッチ動作に基づいて開蓋信号を生成するためのタッチモジュール９２と、を含む。具体的には、ユーザが途中で蓋を開く必要がある場合、まず手でタッチボタン９１を押し、タッチモジュール９２がタッチボタン９１に作用するタッチ動作を感知し、続いて感知されたタッチ動作から開蓋信号を生成して、後続の制御を行う。
【００４４】
一部の例示では、タッチモジュール９２は、圧力センサ、すなわち、タッチボタン９１に作用する作用力を感知し、感知された作用力から開蓋信号を生成するための圧力センサであってもよく、当然ながら、タッチモジュール９２は、他のタイプのセンサであってもよい。
【００４５】
本願の好ましい一実施例によれば、開蓋タッチコンポーネント９０が送信する開蓋信号を取得する前に、タッチモジュール９２がタッチ動作を第１の予め設定された時間持続することを感知した後、タッチ動作に基づいてタッチ信号を生成する。
【００４６】
つまり、調理器具１００が作動時に、ユーザが途中で蓋を開く必要がある場合、まず、人が手でタッチボタン９１を長押しするが、ここでのタッチボタン９１の押しがタッチ動作であり、人が手でタッチボタン９１を長押しする時間が第１の予め設定された時間に達することをタッチモジュール９２が感知する場合、タッチ動作に基づいてタッチ信号を生成することにより、ユーザの誤操作により蓋が開いてしまうという問題の発生を防止できる。
【００４７】
本願の別の好ましい一実施例によれば、調理器具１００は、ユーザが調理器具に接近したか否かを検出するための人体感知モジュール（図示せず）をさらに含み、開蓋タッチコンポーネント９０が送信する開蓋信号を取得する前に、ユーザが調理器具１００に接近した時間が第２の予め設定された時間に達することを検出し、タッチモジュール９２がタッチ動作を感知する場合、タッチモジュール９２は、タッチ動作に基づいて開蓋信号を生成する。
【００４８】
具体的には、調理器具１００が作動時に、ユーザが途中で蓋を開く必要がある場合、まず、人が手でタッチボタン９１を操作し、同時に人体感知モジュールが調理器具１００に近づく人がいるか否かを検出し、ユーザが調理器具１００に接近した時間が第２の予め設定された時間に達することを検出する場合、タッチモジュール９２はタッチ動作に基づいて開蓋信号を生成する。これにより、ユーザの誤操作により蓋が開いてしまうという問題の発生を防止できる。
【００４９】
一部の例示では、開蓋タッチコンポーネントが送信する開蓋信号を取得する前に、第２の予め設定された時間内に、ユーザと調理器具との間の距離が予め設定された距離以下であることを検出し、タッチモジュールがタッチ動作を感知する場合、タッチモジュールは、タッチ動作に基づいて開蓋信号を生成する。例えば、人体感知モジュールは調理器具１００の正面に設けられ、第２の予め設定された時間内で、ユーザが調理器具１００の前面から予め設定された距離を離れた位置に立っている時、タッチボタン９１を押すことにより、タッチモジュール９２をトリガして、開蓋信号を出力する。
【００５０】
一部の例示では、人体感知モジュールは、赤外線感知センサ、距離センサ、またはカメラであり、人体感知モジュールは、構造が簡単で、調理器具に近づく人がいるか否かを直観的に検出することができ、それにより、後続の制御が容易になる。
【００５１】
本願の別の好ましい実施例によれば、鍋体１０または鍋蓋２０には補助機能キー（図示せず）がさらに設けられ、開蓋タッチコンポーネント９０が送信する開蓋信号を取得する前に、タッチボタン９１と補助機能キーを同時または連続的に操作制御する場合、タッチモジュール９２はタッチ動作に基づいて開蓋信号を生成する。これにより、ユーザがタッチボタン９１に対してのみ誤操作することにより誤操作により蓋が開いてしまうことを防止できる。
【００５２】
本願の実施例に係る調理器具１００は、コントローラ（図示せず）を含み、つまり、調理器具１００は、鍋体１０と、鍋蓋２０と、抽気装置７０と、圧力抜き装置８０と、開蓋タッチコンポーネント９０と、コントローラとを含む。コントローラは、抽気装置７０、圧力抜き装置８０及び開蓋タッチコンポーネント９０と通信し、コントローラは、上記の実施例による調理器具の制御方法を実行する。
【００５３】
本願の実施例に係る調理器具１００によれば、上記の制御方法を実行することにより、ユーザは開蓋タッチコンポーネント９０を操作制御することにより蓋を安全に開くことができ、関連技術におけるボタンコンポーネントで微動スイッチをトリガする開蓋方式と比較して、ボタンコンポーネントが係り止められる現象の発生により正常に開蓋することができないという問題がなく、使用体験がよりよい。
【００５４】
本願の一実施例によれば、開蓋タッチコンポーネント９０は、一方が開放された収容チャンバ９３１が画定されているボタン台９３と、収容チャンバ９３１内に設けられたタッチボタン９１と、タッチボタン９１に接続されるとともに、コントローラと通信するタッチモジュール９２と、を含む。
【００５５】
ユーザが途中で蓋を開く必要がある場合、まず、手でタッチボタン９１を押し、タッチモジュール９２がタッチボタン９１に作用するタッチ動作を感知し、続いて感知されたタッチ動作から開蓋信号を生成して、コントローラにフィードバックし、次にコントローラが圧力抜き装置８０を制御して圧力抜き孔ｂを開けて圧力を抜き、調理チャンバａ内の気圧が常圧に回復すると、開蓋動作を実行する。
【００５６】
一部の例示では、タッチボタン９１は、収容チャンバ９３１に移動可能に設けられ、タッチボタン９１は、ガイドコラム９１１を有し、ボタン台９３は、ガイドコラム９１１に係合するガイド溝９３２を有し、タッチモジュール９２は、タッチボタン９１とボタン台９３との間に位置する。ガイドコラム９１１と、ガイドコラム９１１に係合するガイド溝９３２との設置により、タッチボタン９１の正常な移動を保証し、係り止められる現象の発生を防止することができる。
【００５７】
本願の実施例に係る調理器具１００は、ロック位置と分離位置との間で移動可能なロック部材をさらに含み、ロック部材がロック位置にある時、鍋蓋２０は閉じ位置にロッキングされ、ロック部材が分離位置にある時、鍋蓋２０は閉じ位置から係合解除される。
【００５８】
調理器具１００が動作時に、ユーザが途中で開蓋する必要がある場合、タッチボタン９１を押すことにより、調理チャンバａ内の気圧が常圧状態に回復した後、ユーザは手動で開蓋するか、またはコントローラによりロック部材がより一層分離位置へ動くように制御し、それにより鍋蓋２０を閉じ位置から係合解除する。
【００５９】
以下、図１〜図５を参照しながら、本願の第２の態様の実施例に係る調理器具１００について詳細に説明する。ここでの調理器具１００は、炊飯器、電気圧力鍋などであり得る。
【００６０】
本願の実施例に係る調理器具１００は、鍋体１０と、鍋蓋２０と、抽気装置７０と、圧力抜き装置８０と、開蓋タッチコンポーネント９０とコントローラとを含む。鍋体１０は、頂部が開放された調理チャンバａを画定する内鍋１１を有する。鍋蓋２０は、前記鍋体１０に開き位置と閉じ位置との間で枢動可能に取り付けられた。鍋蓋２０は、内蓋２１２と、蓋板２１３と、表面蓋２１１とを含み、蓋板２１３は内蓋２１２の調理チャンバａに向く側に設けられ、蓋板２１３には抽気孔２１４及び圧力抜き孔ｂが設けられており、表面蓋２１１は内蓋２１２の調理チャンバａに背向く側に設けられる。
【００６１】
抽気装置７０は、内蓋２１２に設けられ、且つ真空ポンプ７１と、電磁弁７２と、抽気管７３とを含み、真空ポンプ７１は、抽気管７３を介して抽気孔２１４に連通し、調理チャンバａが負圧状態になるように抽気するために用いられ、電磁弁７２は、真空ポンプ７１と抽気孔２１４との間に設けられ、真空ポンプ７１と抽気孔２１４との間の通気路の連通と遮断を制御するために用いられ、真空ポンプ７１及び電磁弁７２は、それぞれコントローラと通信する。
【００６２】
圧力抜き孔ｂを開閉するための圧力抜き装置８０は内蓋２１２に設けられる。圧力抜き装置８０は、コントローラと通信する。開蓋タッチコンポーネント９０は、鍋体１０または鍋蓋２０に設けられルとともに、コントローラと通信し、開蓋タッチコンポーネント９０は、ボタン台９３と、タッチボタン９１と、タッチモジュール９２とを含み、タッチモジュール９２は、コントローラと通信するとともに、タッチボタン９１に接続される。
【００６３】
調理器具１００が作動時に、ユーザが途中で蓋を開く必要がある場合、まず、開蓋タッチコンポーネント９０が開蓋信号を発するように、開蓋タッチコンポーネント９０を操作制御し、調理チャンバａ内の気圧が負圧状態であることを検出する場合、圧力抜き装置８０を制御して圧力抜き孔ｂを開けることにより、圧力抜きを行い、調理チャンバａ内の気圧が常圧に回復すると、開蓋動作を実行し、調理チャンバａ内の気圧が常圧状態であることを検出する場合、直接開蓋動作を実行する。
【００６４】
ユーザが誤ってタッチボタン９１を触って負圧状態が解除されることを防止するために、タッチボタン９１を第１の予め設定された時間長押ししてからこそ開蓋信号を出力するようにしてもよいし、または調理器具１００の正面に人体感知モジュールを設置して、ユーザが第２の予め設定された時間内に調理器具１００の前面に立ちながら、タッチボタン９１を押すと、タッチモジュール９２がトリガされ、開蓋信号を出力し、それにより負圧状態を解除してもよいし、タッチボタン９１やコントロールインタフェースの補助機能キーを操作することにより、負圧状態を解除するようにしてもよい。
【００６５】
さらに、関連技術では、先に真空でロック解除し（電磁石でボールを押すなどの方法でロック解除する）、続いて開蓋ボタンを押して開蓋することは、操作ステップが複雑であるだけでなく、ユーザが開蓋ボタンを押すだけで、鍋蓋を開けることができず、消費者が、製品が壊れたと認識して、保守またはクレームしやすい。また、電磁石が壊れて、製品が始終負圧状態で保管されると、非常に危険である。そのため、本願は、電気制御での圧力抜き及び手動での圧力抜き機能を兼ね備えるとともに、互いに干渉せず、開蓋ボタンを押しながら圧力を抜いて蓋体を開くことができ、操作が容易で素早く、信頼性及び安全性により優れた調理器具を提供する。
【００６６】
以下、図６から図１２を参照しながら、本願の第３の態様の実施例に係る調理器具１００について説明する。
【００６７】
図６、図９及び図１０に示すように、本願の実施例に係る調理器具１００は、鍋体１０と、鍋蓋２０と、開蓋ボタン３０と、機械的圧力抜き部材４０とを含む。
【００６８】
ここで、鍋体１０は、内鍋を有し、内鍋１１内に調理チャンバａが画定され、鍋蓋２０は、鍋体１０に開閉可能に設けられ、鍋蓋２０は、調理チャンバａに対向して設けられた圧力抜き孔ｂ及び圧力抜きチャンバｃを有する上蓋本体２１と、電気制御されて第１の封止部材２３を駆動して圧力抜き孔ｂを開閉するように構成された電動圧力抜き部材２２と、第１の封止部材２３とを含み、開蓋ボタン３０は、鍋体１０または鍋蓋２０に設けられ、機械的圧力抜き部材４０は、開蓋ボタン３０に接続または連動される。
【００６９】
機械的圧力抜き部材４０は、開蓋ボタン３０が押される場合、第１の封止部材２３を駆動して圧力抜き孔ｂを開放し、及び／または鍋蓋２０と内鍋１１との密閉を解除するように構成される。
【００７０】
つまり、機械的圧力抜き部材４０は、圧力抜き孔ｂを開放するように、第１の封止部材２３を駆動して移動させることにより、調理チャンバを圧力抜きチャンバｃに連通させて圧力を抜くために用いられてもよいし、または、機械的圧力抜き部材４０は、鍋蓋２０と内鍋１１との密閉係合部に作用することにより、圧力抜きのために調理チャンバａを外部に連通させてもよい。
【００７１】
上記の２つの機械的圧力抜き方式のうち１つを選択してもよく、調理器具に同時に適用されてもよく、上記の態様はいずれも本願の保護範囲内に含まれる。例を挙げると、一部の実施例では、機械的圧力抜き部材４０が調理チャンバａを圧力保持状態から圧力抜き状態へ切り替えることは、第１の封止部材２３を駆動して圧力抜き孔ｂを開放することにより実現され、他の一部の実施例では、機械的圧力抜き部材４０が調理チャンバａを圧力保持状態から圧力抜き状態へ切り替えることは、内蓋２１２と鍋蓋２０との密閉を解除することにより実現され、さらに、他の一部の実施例では、第１の圧力抜き部材を駆動して圧力抜き孔ｂを開放することと、鍋蓋２０と内蓋２１２との密閉を解除することを同時に行う。
【００７２】
具体的には、電動圧力抜き部材２２は、調理チャンバａ内の温度、圧力などの複数項目のデータに基づいて現在の調理チャンバａ内の食物の状態を判断して、自動的に第１の封止部材２３を駆動して圧力抜き孔ｂを開閉し、それにより調理チャンバａ内の圧力を安定に維持することができ、機械的圧力抜き部材４０は、調理チャンバａ内の圧力抜きを行うように、第１の封止部材２３を人為的に（すなわち、開蓋ボタン３０を押して）駆動して圧力抜き孔ｂを開放することができる。
【００７３】
開蓋ボタン３０は、押される場合、鍋蓋２０と鍋体１０とのロックを解除するように構成される。
【００７４】
つまり、開蓋ボタン３０は同時に鍋蓋２０が開くように連動することができ、さらに開蓋ボタン３０を押すと、先に圧力を抜きしてから蓋を開けるので、従来の調理器具１００のように、先に真空ロック解除装置のトリガ機構を押し、次に開蓋ボタンを押すという煩雑なステップを省き、調理器具１００の開蓋操作がより簡単で、容易になり、使用体験がより向上し、さらに、開蓋ボタン３０を押すと、直接鍋蓋２０を開けることができ、本願の実施例の調理器具１００を初めて使用する操作者が、調理器具１００の動作状態を誤って判断することがない。
【００７５】
本願の実施例に係る調理器具１００は、開蓋ボタン３０及び機械的圧力抜き部材４０の設置により、開蓋ボタン３０を押した時に、調理チャンバａの圧力を抜く。このように、調理器具１００は、電動圧力抜きと機械的圧力抜きの２つの圧力抜き方法を兼ね備え、操作者は、電動圧力抜き部材２２が故障して圧力抜きができなくなった場合、または突然停電した場合、手動で調理チャンバａから圧力を抜いて、調理器具１００が負圧状態に長時間放置されることを回避するだけでなく、調理器具１００の使用の安全性を高め、安全性の潜在的なリスクを低減及び解消することもできる。
【００７６】
以下、図６から図１２を参照しながら、３つの具体的な実施例を用いて、本願の実施例の調理器具１００が機械的圧力抜き部材４０を介して圧力を抜く動作原理について詳細に説明する。
【００７７】
（第１の実施例）
図７及び図８に示すように、機械的圧力抜き部材４０は、開蓋ボタン３０が押される場合、第１の封止部材２３を駆動して圧力抜き孔ｂを開放し、開蓋ボタン３０及び機械的圧力抜き部材４０はいずれも上蓋本体２１に設けられるように構成される。つまり、第１の実施例では、機械的圧力抜き部材４０は、圧力抜き孔ｂの開閉を制御することにより調理チャンバａ内の圧力抜きを実現するものである。
【００７８】
図６、図７及び図８に示すように、第１の封止部材２３は封止ボールであり、機械的圧力抜き部材４０は圧力抜きプッシュロッド４０ａであり、圧力抜きプッシュロッド４０ａ及び開蓋ボタン３０は、圧力抜き孔ｂの中心軸線に平行する方向に沿って上蓋本体２１に摺動可能に設けられ、圧力抜きプッシュロッド４０ａは、第１の封止部材２３に向かって設けられた、圧力抜き孔ｂから上から下に向かって徐々に離れるように延びる傾斜押付面４１ａを有し、傾斜押付面４１ａは、第１の封止部材２３に押し当てて圧力抜き孔ｂを開放することに適合する。
【００７９】
具体的には、傾斜押付面４１ａは、第１の封止部材２３に当接し、下から上へ圧力抜き孔ｂの中心軸線に向かって延び、それにより、圧力抜きプッシュロッド４０ａの下端の幅が上端の幅よりも小さくなり、さらに、開蓋ボタン３０を押すと、第１の封止部材２３を駆動して徐々に圧力抜き孔ｂを開放する。
【００８０】
これにより、第１の封止部材２３に対向する傾斜押付面４１ａを介して第１の封止部材２３を押して圧力抜きを実現し、構造が簡単で、コストが低く、作動の信頼性及び作動の安定性が両方とも高い。
【００８１】
図６に示すように、上蓋本体２１は、順番に接続される表面蓋２１１と、内蓋２１２と、蓋板２１３とを含み、圧力抜き孔ｂは、少なくとも蓋板２１３を貫通し、圧力抜きチャンバｃは、表面蓋２１１と内蓋２１２との間に形成され、表面蓋２１１の頂壁は、開蓋ボタン３０に摺動係合する第１の取り付け用貫通孔ｄを有し、内蓋２１２の頂壁は圧力抜きプッシュロッド４０ａと摺動係合する第２の取り付け用貫通孔ｅを有し、圧力抜きプッシュロッド４０ａの上端は開蓋ボタン３０の底部に接続され、下端は第２の取り付け用貫通孔ｅを貫通して圧力抜きチャンバｃ内まで伸びる。
【００８２】
つまり、開蓋ボタン３０と第１の取り付け用貫通孔ｄとが摺動係合し、圧力抜きプッシュロッド４０ａと第２の取り付け用貫通孔ｅとが摺動係合し、すなわち、第１の取り付け用貫通孔ｄで開蓋ボタン３０にガイド及び軸方向の位置制限を提供し、第２の取り付け用貫通孔ｅで圧力抜きプッシュロッド４０ａにガイド及び軸方向の位置制限を提供し、それにより開蓋ボタン３０及び圧力抜きプッシュロッド４０ａの運動の円滑性を向上させることができ、機械的圧力抜き部材４０の作動の安定性をさらに向上させ、迅速な圧力抜きを実現する。
【００８３】
以上のように、鍋蓋２０内に取り付けられた開蓋ボタン３０及び圧力抜きプッシュロッド４０ａにより、第１の実施例では、開蓋ボタン３０が上下移動する際に、圧力抜きを実現する。
【００８４】
（第２の実施例）
図９に示すように、機械的圧力抜き部材４０は、開蓋ボタン３０が押される場合、第１の封止部材２３を駆動して圧力抜き孔ｂを開放し、開蓋ボタン３０は鍋体１０に設けられ、機械的圧力抜き部材４０は鍋蓋２０に設けられるように構成される。つまり、第２の実施例では、鍋蓋２０に位置する開蓋ボタン３０により機械的圧力抜き部材４０を駆動することにより、圧力抜き孔ｂを開放して圧力抜きを行う。
【００８５】
図９に示す具体的な実施例では、機械的圧力抜き部材４０は圧力抜きリンクロッド４０ｂであり、開蓋ボタン３０の上端には、鍋体１０の上端から鍋蓋２０内まで伸びて、鍋蓋２０内に位置する圧力抜きリンクロッド４０ｂを駆動することに適合する延長ロッド６０が設けられている。
【００８６】
具体的には、開蓋ボタン３０を左右方向に押す場合、第１の圧力抜き部材を押して移動させるように、圧力抜きリンクロッド４０ｂが延長ロッド６０に連動されて第１の封止部材２３側に移動し、それにより圧力抜き孔ｂを開放する。これにより、圧力抜きリンクロッド４０ｂが第１の封止部材２３を押すことで圧力抜きを実現することにより、開蓋ボタン３０を鍋体１０に配置することができて、調理中に誤って開蓋ボタン３０に触れることを回避することができるだけでなく、圧力抜きリンクロッド４０ｂが第１の封止部材２３に直接作用し、構造が簡単で、コストが低い。
【００８７】
さらに、圧力抜きリンクロッド４０ｂは、圧力抜き孔ｂの中心軸線に垂直な方向に沿って上蓋本体２１に摺動可能に設けられる。つまり、圧力抜きリンクロッド４０ｂは上蓋本体２１に摺動係合され、さらに、圧力抜きリンクロッド４０ｂは上蓋本体２１のガイド及び位置制限の下で第１の封止部材２３に作用して、圧力抜きリンクロッド４０ｂが第１の圧力抜き部材に対して揺れることを回避でき、それにより圧力抜きリンクロッド４０ｂの第１の封止部材２３に対する押し効果を向上させ、機械的圧力抜き部材４０の動作の安定性をさらに向上させることができる。
【００８８】
図９に示すように、上蓋本体２１は、順番に接続された表面蓋２１１と、内蓋２１２と、蓋板２１３とを含み、圧力抜き孔ｂは、少なくとも蓋板２１３を貫通し、圧力抜きチャンバｃは、表面蓋２１１と内蓋２１２との間に形成され、圧力抜きリンクロッド４０ｂは、内蓋２１２を貫通する縦方向ロッド４１ｂと、内蓋２１２と表面蓋２１１との間に位置する横方向ロッド４２ｂとを含み、横方向ロッド４２ｂは、圧力抜きチャンバｃ内に伸びて、鍋蓋２０内に位置する第１の封止部材２３に押し当て係合することに適合する。
【００８９】
つまり、Ｌ字状の圧力抜きリンクロッド４０ｂは、縦方向ロッド４１ｂと、横方向ロッド４２ｂとを含み、鍋体１０に位置する開蓋ボタン３０によって提供される動力を鍋蓋２０内に位置する縦方向ロッド４１ｂに伝達するように、横方向ロッド４２ｂは、開蓋ボタン３０に押されて調理チャンバａに向かって移動することができ、それにより縦方向ロッド４１ｂが第１の封止部材２３に向かって移動することにより、機械的圧力抜き部材４０の動力の伝達がより安定かつ迅速になり、機械的圧力抜き部材４０の圧力抜きの応答速度がより迅速になる。
【００９０】
好ましくは、開蓋ボタン３０は、機械的圧力抜き部材４０に枢動接続されるか、または押し当て係合される。つまり、第２の実施例における開蓋ボタン３０と機械的圧力抜き部材４０との動力伝達は、枢動接続によって実現され手もよく、押し当て係合されることにより実現されてもよく、ここでは、具体的に限定しない。
【００９１】
なお、開蓋ボタン３０が機械的圧力抜き部材４０に押し当て係合される実施例では、縦方向ロッド４１ｂは、鍋蓋２０内で圧力抜き孔ｂの軸線に垂直な直線に沿って往復移動し、開蓋ボタン３０が機械的圧力抜き部材４０に枢動接続される実施例では、縦方向ロッド４１ｂは、鍋蓋２０内で圧力抜き孔ｂの軸線に垂直な直線に沿って往復移動してもよく、鍋蓋２０内で圧力抜き孔ｂの軸線に垂直な平面の範囲内でスイングしてもよいことを理解されたい。
【００９２】
図９に示すように、調理器具１００は弾性リセット部材５０をさらに含み、弾性リセット部材５０は、開蓋ボタン３０及び機械的圧力抜き部材４０がリセットするように駆動するために、両者のうち少なくとも一方に接続される。このように、開蓋ボタン３０及び機械的圧力抜き部材４０をリセットするように、弾性リセット部材５０を設置することにより、機械的圧力抜き部材４０及び開蓋ボタン３０の動作の安定性を効果的に向上させることができる。
【００９３】
以上のように、第２の実施例では、鍋蓋２０内に取り付けられた圧力抜きリンクロッド４０ｂと、鍋体１０に取り付けられた開蓋ボタン３０とにより、開蓋ボタン３０が左右に移動するときに圧力抜きを実現する。
【００９４】
第３の実施例
図１０、図１１及び図１２に示すように、鍋蓋２０は、鍋蓋２０が閉じられた時に内鍋１１に係合して調理チャンバａを密閉することに適合する第２の封止部材２４を有し、機械的圧力抜き部材４０は、開蓋ボタン３０が押される場合、第２の封止部材２４に作用して内鍋１１と鍋蓋２０との密閉を解除するように構成される。つまり、第３の実施例では、機械的圧力抜き部材４０は、第２の封止部材２４に作用することにより、調理チャンバａの圧力抜きを直接実現する。
【００９５】
図１１及び図１２に示すように、第２の封止部材２４は、上蓋本体２１の下端に接続される封止リングであり、機械的圧力抜き部材４０は、開蓋ボタン３０が押下される際に、第２の封止部材２４と内鍋１１との間に隙間が形成されるように、第２の封止部材２４と内鍋１１との間に挿入される梃子動かし爪４０ｃを有する。
【００９６】
具体的には、鍋体１０内に位置する開蓋ボタン３０に連動して梃子動かし爪４０ｃが調理チャンバａに向かって移動し、それにより梃子動かし爪４０ｃで封止リングを上方に梃子開いて、鍋蓋２０と鍋体１０との間の密閉を解除し、それにより空気が封止リングと鍋体１０との間の隙間を介して調理チャンバａ内に入ることができ、圧力抜きを実現する。
【００９７】
これにより、梃子動かし爪４０ｃで第２の封止部材２４を梃子動かして圧力抜きを実現し、応答速度が速く、構造が簡単で作動の安定性が高い。
【００９８】
好ましくは、機械的圧力抜き部材４０と開蓋ボタン３０は、一体に成形されるとともに鍋体１０に設けられ、鍋体１０の外側壁に第３の取り付け用貫通孔ｆがあり、鍋体１０の頂壁に第４の取り付け用貫通孔ｇがあり、開蓋ボタン３０は、第３の取り付け用貫通孔ｈを貫通するとともに、バネを介して鍋体１０の内側壁に当接され、機械的圧力抜き部材４０は、第４の取り付け用貫通孔ｇに摺動可能に設けられる。
【００９９】
つまり、開蓋ボタン３０は第３の取り付け用貫通孔ｆに摺動係合され、梃子動かし爪４０ｃは第４の取り付け用貫通孔ｇに摺動係合され、すなわち、第３の取り付け用貫通孔ｆにより開蓋ボタン３０にガイド及び位置制限を提供し、第４の取り付け用貫通孔ｇにより梃子動かし爪４０ｃに対してガイド及び位置制限を行い、それにより機械的圧力抜き部材４０の動作の安定性を向上させることに加え、機械的圧力抜き部材４０の圧力抜きの応答速度がより速くなり、構造がより簡単で、生産コストがより低い。
【０１００】
当然ながら、第３の実施例では、本願の梃子動かし爪４０ｃ及び開蓋ボタン３０の取り付け位置は、鍋体１０に限らず、鍋蓋２０内に取り付けてもよい。
【０１０１】
以上のように、第３の実施例では、鍋体１０内に取り付けられた開蓋ボタン３０及び梃子動かし爪４０ｃにより、開蓋ボタン３０が左右に移動するときに、鍋蓋２０と鍋体１０との密閉を解除して圧力抜きを実現する。
【０１０２】
本願の説明において、「中心」、「縦方向」、「横方向」、「長さ」、「幅」、「厚さ」、「上」、「下」、「前」、「後」、「左」、「右」、「垂直」、「水平」、「頂」、「底」、「内側」、「外側」、「時計回り」、「反時計回り」、「軸方向」、「ラジアル方向」、「周方向」などの用語が示す方位または位置関係は、図面に示す方位または位置関係に基づくものであり、単に本願の説明を容易にし、説明を簡単にするためのモノであり、指定された装置またはユニットが必ず特定の方位にあり、特定の方位において構造され、操作されることを指示または暗示することではないので、本願を限定するものと理解してはならない。また、「第１」、「第２」付きの特徴は、１つまたは複数の当該特徴を明示的または暗示的に含み得る。本願の説明において、特別な説明がない限り、「複数」は、２つまたは２つ以上を意味する。
【０１０３】
本明細書の説明において、「一実施例」、「一部の実施例」、「例示的な実施例」、「例示」、「具体的な例示」、または「一部の例示」などの用語を用いた説明とは、当該実施例または例示の記述を参照した具体的な特徴、構造、材料または特性が、本願の少なくとも１つの実施例または例示に含まれていることを意図するものである。本明細書において、上記用語に関する例示的な記述は、必ずしも同一の実施例または例示を示すものとは限らない。また、いずれかの１つまたは複数の実施例または例示において、記述される具体的な特徴、構造、材料または特性を適切な方式で組み合わせることができる。
【０１０４】
本願の実施例を示し、説明したが、当業者であれば、本願の原理及び趣旨を逸脱しない範囲でこれらの実施例に対して様々な変更、修正、置換及び変形を行うことができ、本願の範囲は特許請求の範囲及びそれと同等なもの限定されることを理解できるだろう。
【符号の説明】
【０１０５】
１００…調理器具、
１０…鍋体、１１…内鍋、…
２０…鍋蓋、２１…上蓋本体、２１１…表面蓋、２１２…内蓋、２１３…蓋板、２１４…抽気孔、２２…電動圧力抜き部材、２３…第１の封止部材、２４…第２の封止部材、
３０…開蓋ボタン、
４０…機械的圧力抜き部材、４０ａ…圧力抜きプッシュロッド、４１ａ…傾斜押付面、４０ｂ…圧力抜きリンクロッド、４１ｂ…縦方向ロッド、４２ｂ…横方向ロッド、４０ｃ…梃子動かし爪、５０…弾性リセット部材、６０…延長ロッド、
７０…抽気装置、７１…真空ポンプ、７２…電磁弁、７３…抽気管、８０…圧力抜き装置、…
９０…開蓋タッチコンポーネント、９１…タッチボタン、９１１…ガイドコラム、９２…タッチモジュール、９３…ボタン台、９３１…収容チャンバ、９３２…ガイド溝、
ａ…調理チャンバ、ｂ…圧力抜き孔、ｃ…圧力抜きチャンバ、ｄ…第１の取り付け用貫通孔、ｅ…第２の取り付け用貫通孔、ｆ…第３の取り付け用貫通孔、ｇ…第４の取り付け用貫通孔。
【図１】
2021532909.tif 000003
【図２】
2021532909.tif 000004
【図３】
2021532909.tif 000005
【図４】
2021532909.tif 000006
【図５】
2021532909.tif 000007
【図６】
2021532909.tif 000008
【図７】
2021532909.tif 000009
【図８】
2021532909.tif 000010
【図９】
2021532909.tif 000011
【図１０】
2021532909.tif 000012
【図１１】
2021532909.tif 000013
【図１２】
2021532909.tif 000014
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
頂部が開放された調理チャンバを有する鍋体と、抽気孔及び圧力抜き孔を有し、前記鍋体に開き位置と閉じ位置との間を移動可能に取り付けられた鍋蓋と、前記調理チャンバ内が負圧状態になるように抽気するための抽気装置と、前記圧力抜き孔を開閉するための圧力抜き装置と、を含み、前記鍋蓋または前記鍋体には開蓋タッチコンポーネントが設けられる調理器具の制御方法であって、
前記制御方法は、
前記開蓋タッチコンポーネントが送信した開蓋信号を取得するステップと、
前記調理チャンバ内の気圧が負圧状態であるか否かを検出するステップと、
前記調理チャンバ内の気圧が負圧状態である場合、前記調理チャンバ内の気圧が常圧状態に回復して鍋蓋が開かれるまで、前記圧力抜き孔を開けるように圧力抜き装置を制御するステップと、を含む、
ことを特徴とする調理器具の制御方法。
【請求項２】
前記開蓋タッチコンポーネントは、タッチボタンと、前記タッチボタンに作用するタッチ動作を感知し、前記タッチ動作に基づいて前記開蓋信号を生成するためのタッチモジュールと、を含む、
ことを特徴とする請求項１に記載の調理器具の制御方法。
【請求項３】
前記開蓋タッチコンポーネントが送信した開蓋信号を取得する前記ステップの前に、前記タッチモジュールが第１の予め設定された時間持続した前記タッチ動作を感知した場合、前記タッチ動作に基づいて前記開蓋信号を生成することを特徴とする請求項２に記載の調理器具の制御方法。
【請求項４】
ユーザが前記調理器具に接近したか否かを検出するための人体感知モジュールをさらに含み、
前記開蓋タッチコンポーネントが送信した開蓋信号を取得する前記ステップの前に、ユーザが前記調理器具に接近した時間が第２の予め設定された時間に達したことを検出し、且つ前記タッチモジュールが前記タッチ動作を感知した場合、前記タッチモジュールは、前記タッチ動作に基づいて前記開蓋信号を生成する、
ことを特徴とする請求項２に記載の調理器具の制御方法。
【請求項５】
前記開蓋タッチコンポーネントが送信した開蓋信号を取得する前記ステップの前に、前記第２の予め設定された時間の間、ユーザと前記調理器具との間の距離が予め設定された距離以下であることを検出し、且つ前記タッチモジュールが前記タッチ動作を感知した場合、前記タッチモジュールは、前記タッチ動作に基づいて前記開蓋信号を生成する、
ことを特徴とする請求項４に記載の調理器具の制御方法。
【請求項６】
前記人体感知モジュールは、赤外線感知センサ、距離センサ、またはカメラである、
ことを特徴とする請求項４に記載の調理器具の制御方法。
【請求項７】
前記鍋体または前記鍋蓋には補助機能キーがさらに設けられ、前記開蓋タッチコンポーネントが送信した開蓋信号を取得する前記ステップの前に、前記タッチボタンと前記補助機能キーが同時または連続的に操作された場合、前記タッチモジュールは前記タッチ動作に基づいて前記開蓋信号を生成する、
ことを特徴とする請求項２に記載の調理器具の制御方法。
【請求項８】
前記抽気装置、前記圧力抜き装置、及び前記開蓋タッチコンポーネントと通信するコントローラを含み、前記コントローラは、請求項１〜７のいずれか１項に記載の調理器具の制御方法を実行する、
ことを特徴とする調理器具。
【請求項９】
前記開蓋タッチコンポーネントは、
一方が開放された収容チャンバを画定するボタン台と、
前記収容チャンバ内に設けられるタッチボタンと、
前記タッチボタンに接続されるとともに前記コントローラと通信するタッチモジュールと、を含む、
ことを特徴とする請求項８に記載の調理器具。
【請求項１０】
ロック位置と分離位置との間を移動可能なロック部材をさらに含み、前記ロック部材が前記ロック位置にある時、前記鍋蓋は前記閉じ位置にロッキングされ、前記ロック部材が前記分離位置にある時、前記鍋蓋は前記閉じ位置から離脱する、
ことを特徴とする請求項８または９に記載の調理器具。
【手続補正２】
【補正対象書類名】図面
【補正対象項目名】図５
【補正方法】変更
【補正の内容】
【図５】
2021532909.tif 000015
【手続補正３】
【補正対象書類名】図面
【補正対象項目名】図６
【補正方法】変更
【補正の内容】
【図６】
2021532909.tif 000016
【手続補正４】
【補正対象書類名】図面
【補正対象項目名】図９
【補正方法】変更
【補正の内容】
【図９】
2021532909.tif 000017
【手続補正５】
【補正対象書類名】図面
【補正対象項目名】図１０
【補正方法】変更
【補正の内容】
【図１０】
2021532909.tif 000018
【国際調査報告】
2021532909.tif 000019
2021532909.tif 000020
2021532909.tif 000021
2021532909.tif 000022